(57)【要約】【課題】  ホログラム記録媒体に照射されるレーザ光の強度分布を一様にすることができるホログラム記録装置及びホログラム記録方法の提供。【解決手段】  ＧＬＶ１３の各素子の光強度が同一の信号に対して光強度の最も小さい素子の光強度とほぼ同一となるように、ＧＬＶ１３の各素子の変調度を規制しつつ信号光を変調しているので、変調後におけるレーザ光源１０からの出射されたレーザ光の記録信号の強度分布を一様なものとすることができる。【選択図】  図５
2006139205.tif 000002
【特許請求の範囲】
【請求項１】
レーザ光を出射するレーザ光源と、
前記レーザ光源から出射されたレーザ光を信号光と再生光とに分離する光学素子と、
前記信号光を変調する複数の素子を有する空間光変調器と、
同一の信号に対して前記各素子の光強度が光強度の最も小さい素子の光強度とほぼ同一となるように、前記空間光変調器の素子の変調度を規制する規制手段と、
前記空間変調器により変調された信号光と前記再生光とをホログラム記録媒体に導く光学系と
を具備することを特徴とするホログラム記録再生装置。
【請求項２】
請求項１に記載のホログラム記録再生装置であって、
前記空間光変調器の各素子は、レーザ光を反射する状態又は回折する状態となるように、印加電圧によって変形する略リボン形状の第１の素子とこの第１の素子に隣接し変形することがない略リボン形状の第２の素子とを有する
ことを特徴とするホログラム記録再生装置。
【請求項３】
請求項１に記載のホログラム記録再生装置であって、
前記空間光変調器は、複数の素子を有する液晶装置である
ことを特徴とするホログラム記録再生装置。
【請求項４】
請求項１に記載のホログラム記録再生装置であって、
前記規制手段は、前記素子ごとに設定された、変調度を規制するためのパラメータを記憶する記憶部を有し、これらのパラメータに基づき素子の変調度を規制する
ことを特徴とするホログラム記録再生装置。
【請求項５】
請求項４に記載のホログラム記録再生装置であって、
前記各パラメータは、前記各素子を１００％の変調度で変調したときの光強度と最も変調度の小さい素子を１００％の変調度で変調したときの光強度との割合によって定められている
ことを特徴とするホログラム記録再生装置。
【請求項６】
請求項４に記載のホログラム記録再生装置であって、
前記各パラメータは、前記最も変調度の小さい素子を１００％の変調度で変調したときの光強度とほぼ一致するように前記各素子の変調度を低下させていくことによって求められた変調度によって定められている
ことを特徴とするホログラム記録再生装置。
【請求項７】
請求項１に記載のホログラム記録再生装置であって、
前記ホログラム記録媒体からの再生光を受光する受光素子を有し、
前記規制手段により規制される変調度は、前記空間変調器により変調された信号光を前記受光素子により受光し、その結果に基づき設定される
ことを特徴とするホログラム記録再生装置。
【請求項８】
レーザ光を信号光と再生光とに分離し、
前記信号光を変調する複数の素子を有する空間光変調器の各素子の光強度が同一の信号に対して光強度の最も小さい素子の光強度とほぼ同一となるように、前記空間光変調器の素子の変調度を規制しつつ前記信号光を変調し、
前記変調された信号光と前記再生光とをホログラム記録媒体に導く
ことを特徴とするホログラム記録方法。
【請求項９】
請求項８に記載のホログラム記録方法であって、
前記各素子を１００％の変調度で変調したときの光強度と最も変調度の小さい素子を１００％の変調度で変調したときの光強度との割合によって、前記空間光変調器の各素子の光強度が同一の信号に対して光強度の最も小さい素子の光強度とほぼ同一となるように設定することを特徴とするホログラム記録方法。
【請求項１０】
請求項８に記載のホログラム記録方法であって、
前記最も変調度の小さい素子を１００％の変調度で変調したときの光強度とほぼ一致するように前記各素子の変調度を低下させていくことによって求められた変調度によって、前記空間光変調器の各素子の光強度が同一の信号に対して光強度の最も小さい素子の光強度とほぼ同一となるように設定することを特長とするホログラム記録方法。
【請求項１１】
請求項８に記載のホログラム記録方法であって、
前記ホログラム記録媒体からの再生光を受光する受光素子を用いて前記空間変調器により変調された信号光を受光し、その結果に基づき規制される変調度を設定することを特徴とするホログラム記録方法。
【発明の詳細な説明】
【技術分野】
【０００１】
本発明は、ホログラム記録再生装置及びホログラム記録方法に関する。
【背景技術】
【０００２】
ホログラフィを使ってデータを記録し、再生するホログラム記録再生装置の開発が進められている。
【０００３】
ホログラムにおけるデータ記録では、変調された（データが重畳された）信号光、変調されない参照光の２つをレーザ光から生成し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００４】
再生時には、記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる（例えば、特許文献１参照。）  。
【特許文献１】特開２００４−１３９０２３号公報（図１）
【発明の開示】
【発明が解決しようとする課題】
【０００５】
このようなホログラム記録再生装置においては、記録時にホログラム記録媒体に照射されるレーザ光の強度分布が一様であることが記録密度の向上を図る上で重要である。
【０００６】
しかしながら、その記録光の波長や空間変調器の大きさに合わせて設計された光学系が、実際に製作された時に設計通りの性能を発揮するとは限らない。また、その光学系の構築時に、最良の状態に調整することが困難であるため、理想的な強度分布を得ることが難しい。
【０００７】
以上のような事情に鑑み、本発明の目的は、ホログラム記録媒体に照射されるレーザ光の強度分布を一様にすることができるホログラム記録装置及びホログラム記録方法を提供することにある。
【課題を解決するための手段】
【０００８】
Ａ．かかる課題を解決するため、本発明に係るホログラム記録装置は、レーザ光を出射するレーザ光源と、前記レーザ光源から出射されたレーザ光を信号光と再生光とに分離する光学素子と、前記信号光を変調する複数の素子を有する空間光変調器と、同一の信号に対して前記各素子の光強度が光強度の最も小さい素子の光強度とほぼ同一となるように、前記空間光変調器の素子の変調度を規制する規制手段と、前記空間変調器により変調された信号光と前記再生光とをホログラム記録媒体に導く光学系とを具備するものである。
【０００９】
本発明では、空間光変調器の各素子の光強度が同一の信号に対して光強度の最も小さい素子の光強度とほぼ同一となるように、空間光変調器の素子の変調度を規制しつつ信号光を変調しているので、ホログラム記録媒体に照射されるレーザ光の強度分布を一様にすることができる。しかも、本発明では、ハードウェアによる調整ではなく、ソフトウェアの制御によってホログラム記録媒体に照射されるレーザ光の強度分布の一様化を実現することができるので、製造コストの低減を図ることができるばかりでなく、ユーザへの販売後の自動調整化も容易に実現できる。この結果、長期に亘り記録性能を維持することが可能となる。
（１）前記空間光変調器の各素子は、レーザ光を反射する状態又は回折する状態となるように、印加電圧によって変形する略リボン形状の第１の素子とこの第１の素子に隣接し変形することがない略リボン形状の第２の素子とを有する。
【００１０】
空間光変調器として、いわゆるＧＬＶ（Ｇｒａｔｉｎｇ  Ｌｉｇｈｔ  Ｖａｌｖｅ）を用いることでより高速記録が可能となるが、機械的作動部分を含むことからホログラム記録媒体に照射されるレーザ光の強度分布のばらつきが大きくなる可能性が高い。よって、ホログラム記録媒体に照射されるレーザ光の強度分布の一様化を実現する意義は極めて高い。
【００１１】
ＧＬＶは一次元のものであってもいいし、勿論二次元のものであってもよい。
（２）前記空間光変調器は、複数の素子を有する液晶装置であっても勿論構わない。
【００１２】
空間光変調器として、液晶装置を用いることでコストの削減を図ることができるし、いわゆるコーリニアタイプのホログラム記録再生装置の実現も容易である。コーリニアタイプのホログラム記録再生装置とは、例えば信号光の外周に再生光が通過し、信号光と再生光とを同一の液晶装置や対物レンズを介して媒体に導かれるものである。
【００１３】
液晶装置も一次元のものであってもいいし、勿論二次元のものであってもよい。
（３）前記規制手段は、前記素子ごとに設定された、変調度を規制するためのパラメータを記憶する記憶部を有し、これらのパラメータに基づき素子の変調度を規制する。
【００１４】
パラメータを記憶させるようにすることで、毎回の所定の測定を行って変調度の規制値を定めるようなことを回避することができる。特に、製造段階でパラメータを設定し、それ以降はそのパラメータを固定値として用いるようにすれば、当該ホログラム記録再生装置にパラメータを設定するためのソフトウェア等を持たせることは不要となる。
（４）前記各パラメータは、前記各素子を１００％の変調度で変調したときの光強度と最も変調度の小さい素子を１００％の変調度で変調したときの光強度との割合によって定められている。
【００１５】
これにより、非常に簡単にパラメータの設定が可能となる。
（５）前記各パラメータは、前記最も変調度の小さい素子を１００％の変調度で変調したときの光強度とほぼ一致するように前記各素子の変調度を低下させていくことによって求められた変調度によって定められていてもよい。
【００１６】
これにより、非常に精密にパラメータの設定が可能となる。
（６）前記ホログラム記録媒体からの再生光を受光する受光素子を有し、前記規制手段により規制される変調度は、前記空間変調器により変調された信号光を前記受光素子により受光し、その結果に基づき設定される。
【００１７】
ホログラム記録媒体からの再生光を受光する受光素子を用いて空間変調器により変調された信号光を受光し、その結果に基づき規制される変調度を設定しているので、変調度を計測するための特別のハードウェアを当該ホログラム記録再生装置に持たせることが不要となる。従って、部品点数を増大させることなく、ホログラム記録媒体に照射されるレーザ光の強度分布の一様化を実現することができる。
Ｂ．本発明の別の観点に係るホログラム記録方法は、レーザ光を信号光と再生光とに分離し、前記信号光を変調する複数の素子を有する空間光変調器の各素子の光強度が同一の信号に対して光強度の最も小さい素子の光強度とほぼ同一となるように、前記空間光変調器の素子の変調度を規制しつつ前記信号光を変調し、前記変調された信号光と前記再生光とをホログラム記録媒体に導くものである。
【００１８】
これにより、ホログラム記録媒体に照射されるレーザ光の強度分布を一様にすることができる。
（１）前記各素子を１００％の変調度で変調したときの光強度と最も変調度の小さい素子を１００％の変調度で変調したときの光強度との割合によって、前記空間光変調器の各素子の光強度が同一の信号に対して光強度の最も小さい素子の光強度とほぼ同一となるように設定する。
【００１９】
これにより、非常に簡単にパラメータの設定が可能となる。
（２）前記最も変調度の小さい素子を１００％の変調度で変調したときの光強度とほぼ一致するように前記各素子の変調度を低下させていくことによって求められた変調度によって、前記空間光変調器の各素子の光強度が同一の信号に対して光強度の最も小さい素子の光強度とほぼ同一となるように設定する。
【００２０】
これにより、非常に精密にパラメータの設定が可能となる。
（３）前記ホログラム記録媒体からの再生光を受光する受光素子を用いて前記空間変調器により変調された信号光を受光し、その結果に基づき規制される変調度を設定する。
【００２１】
これにより、変調度を計測するための特別のハードウェアをホログラム記録再生装置に持たせることが不要となる。
【発明の効果】
【００２２】
以上のように、本発明によれば、空間光変調器の各素子の光強度が同一の信号に対して光強度の最も小さい素子の光強度とほぼ同一となるように、空間光変調器の素子の変調度を規制しつつ信号光を変調しているので、ホログラム記録媒体に照射されるレーザ光の強度分布を一様にすることができる。
【発明を実施するための最良の形態】
【００２３】
以下、本発明の実施の形態を図面に基づき説明する。
（ホログラム記録再生装置の一例）
【００２４】
図１は本発明の一実施形態に係るホログラム記録再生装置１００を表す模式図である。
【００２５】
図１に示すように、ホログラム記録再生装置１００は、ホログラム記録媒体２００に対してデータが重畳されたホログラムの記録及び再生を行う装置である。
【００２６】
ホログラム記録媒体２００は、信号光と参照光とによる干渉縞を屈折率の変化として記録する記録媒体である。ホログラム記録媒体２００の構成材料として、光の強度に応じて屈折率が変化する材料であれば、有機材料、無機材料の別を問うことなく利用可能である。無機材料として、例えば、ニオブ酸リチウム（ＬｉＮｂＯ３）のような電気光学効果によって露光量に応じ屈折率が変化するフォトリフラクティブ材料を用いることができる。有機材料として、例えば、光重合型フォトポリマを用いることができる。光重合型フォトポリマは、その初期状態では、モノマがマトリクスポリマに均一に分散している。これに光が照射されると、露光部でモノマが重合する。そして、ポリマ化するにつれてその部分の屈折率が変化する。
【００２７】
ホログラム記録再生装置１００は、レーザ光源１０、第１のビームスプリッタ１１、第２のビームスプリッタ１２、ＧＬＶ１３、第１のシャッタ１４、信号光レンズ１５、第２のシャッタ１６、ミラー１７、参照光レンズ１８、再生光レンズ１９、アレイセンサ２０を備える。
【００２８】
ホログラム記録再生装置１００の制御系としては、バス２１上にＣＰＵ２２、シリアル通信ポート２３、フレームグラバ２４が接続され、更にＧＬＶ制御ボード２５、第１のシャッタコントローラ２６、第２のシャッタコントローラ２７が設けられている。ＧＬＶ制御ボード２５は、パラメータ記憶メモリ２８を有する。
【００２９】
レーザ光源１０は、レーザ光を出射する光源である。
【００３０】
第１のビームスプリッタ１１は、入射した光を２つの光（信号光と参照光）に分岐する光学素子である。
【００３１】
第２のビームスプリッタ１２は、第１のビームスプリッタ１１を分岐した信号光をＧＬＶ１３側に反射すると共に、ＧＬＶ１３を反射した光を透過する光学素子である。
【００３２】
図２はＧＬＶ１３を上面から見た状態を表す上面図である。また、図３，４はそれぞれ、ＧＬＶ１３を側面、および正面からみた状態を表す側面図および正面図である。なお、図３，４の（Ａ），（Ｂ）はそれぞれ、ＧＬＶ１３の２つの状態（ＯＦＦ、ＯＮ）を表している。また、図４ではリボン４２の動作状態を模式的に表している。ＧＬＶ１３は、個別回折制御素子４１がＹ方向に複数配列されて構成される。個別回折制御素子４１は、入射した光を回折して回折光として出射するものであり、互いに独立して回折状態を制御できる。個別回折制御素子４１は、６本のリボン４２，リボン４２と対向する絶縁膜４３および対向電極４４を有し、基板４５上に構成される。６本のリボン４２は、１本おきに３本が上下に駆動される。リボン４２と対向電極４４との間に電圧を印加することで、この間に静電力が発生し、リボン４２が対向電極４４へと吸引される（ＯＮ状態：図３（Ｂ）、４（Ｂ）参照）。そして、リボン４２と対向電極４４との間に印加された電圧を除去すると、リボン４２の弾性力によりリボン４２は元の状態に復帰する（ＯＦＦ状態：図３（Ａ）、４（Ａ）参照）。リボン４２は、例えば、幅が数μｍ、長さが１００μｍ程度、距離ｄが数百ｎｍとすることができる。このとき、リボン４２の動作時間は1μs程度とすることができる。ＧＬＶ１３（個別回折制御素子４１）に対して、レーザ光が垂直に入射した場合を考える。図４（Ａ）のように、個別回折制御素子４１の６本のリボン４２が同一平面にあれば（ＯＦＦ状態）、レーザ光はそのまま垂直に反射し、０次回折光のみが発生する。一方、図４（Ｂ）のように、リボン４２が１本おきに下がっていれば（ＯＮ状態）、垂直に反射する０次回折光の他に１次回折光も発生する。なお、２次以上の回折光の強度は小さいので、無視することとする。このとき、一次元型回折制御素子４０からの０次回折光と１次回折光の比率は降下したリボン４２と降下していないリボン４２の間隔ｄで決まり、間隔ｄがλ/4（λ：レーザ光の波長）であれば１次回折光のみが出射する。即ち、降下したリボン４２からの０次回折光と降下していないリボン４２からの０次回折光が、互いに打ち消しあって強度が０となり、１次回折光のみが残存することになる（前述のように２次以上の成分は無視）。個別回折制御素子４１のＯＮ状態での回折光は、降下したリボン４２および降下していないリボン４２それぞれからの互いに半波長位相がずれた回折光が混合した光である。即ち、リボン４２それぞれは、その変位によってそれぞれから回折される回折光の位相を可変できる、位相可変素子と考えることができる。以上のように、ＧＬＶ１３を構成する個別回折制御素子４１それぞれが独立に２つの回折状態（ＯＦＦ：０次回折光のみ、ＯＮ：一次回折光のみ）をとることで、画素数（個別回折制御素子４１の個数）分のビット数のデータを表現できる。例えば、１０８８個の個別回折制御素子４１を配列することで、１０８８ビットのデータを表現できる
【００３３】
第１のシャッタ１４は、信号光を遮断することが可能な素子である。液晶素子等を用いることができる。第１のシャッタ１４は、信号の再生時に信号光を遮断する目的で使用される。
【００３４】
信号光レンズ１５は、信号光をホログラム記録媒体２００に集光する光学素子である。ＧＬＶ１３にり形成された像（実像）が信号光レンズ１５の焦点位置にフラウンホーファー（Fraunhofer）回折像（フーリエ（Fourier）変換像）に変換されて結像する。
【００３５】
第２のシャッタ１６は、参照光を遮断することが可能な素子である。液晶素子等を用いることができる。第２のシャッタ１６は、後述する信号値算出処理時に参照光を遮断する目的で使用される。
【００３６】
ミラー１７は、第２のシャッタ１６を通過した参照光をホログラム記録媒体２００に導くための反射素子である。
【００３７】
参照光レンズ１８は、ミラー１７で反射した参照光を参照光レンズ１８の焦点位置にフラウンホーファー（Fraunhofer）回折像（フーリエ（Fourier）変換像）に変換して結像する光学素子である。
【００３８】
再生光レンズ１９は、ホログラム記録媒体２００から再生された回折光をアレイセンサ２０に集光する。このとき、アレイセンサ２０の検知面にはＧＬＶ１３に形成されていた実像が結像する。つまり、再生光レンズ１９は、ホログラム記録媒体２００に記録されたＧＬＶ１３のフーリエ変換像を逆フーリエ変換してアレイセンサ２０に結像する逆フーリエ変換レンズである。
【００３９】
アレイセンサ２０は、再生された信号光を検出する受光素子（ＣＣＤ）であり、受光素子が１方向に配列された１次元受光素子である。空間光変調器が２次元であるときには、同然この光学素子も２次元受光素子を用いる。
【００４０】
次に、ホログラム記録再生装置１００の制御系について説明する。
【００４１】
ＣＰＵ２２は、このホログラム記録再生装置１００を総括的に制御する。
【００４２】
シリアル通信ポート２３は、ＣＰＵ２２とＧＬＶ制御ボード２５、第１のシャッタコントローラ２６、第２のシャッタコントローラ２７との間でシリアルにデータのやり取り行うためのインターフェースである。
【００４３】
フレームグラバ２４は、アレイセンサ２０から得られた信号をバス２１を介してＣＰＵ２２に取り込むためのインターフェースである。
【００４４】
ＧＬＶ制御ボード２５は、ＣＰＵ２２からの指令に応じてＧＬＶ１３の各素子の変調度を制御する。また、ＧＬＶ制御ボード２５は、ＧＬＶ１３の素子ごとに設定された、変調度を規制するためのパラメータを記憶するパラメータ記憶メモリ２８を有する。そして、ＣＰＵ２２からＧＬＶ１３に変調データが送信され、ＧＬＶ１３はそのデータ及び上記のパラメータに基づきＧＬＶ１３の素子ごとに変調の度合いをアナログ的に変化させる。なお、変調度を規制するためのパラメータを記憶するパラメータ記憶メモリは、ＣＰＵ２２が有するものであってもいいし、バス２１に独立して接続された記憶部であっても勿論構わない。
【００４５】
第１のシャッタコントローラ２６は、ＣＰＵ２２からの指令に応じて第１のシャッタ１４の開閉を制御する。また、第２のシャッタコントローラ２７は、ＣＰＵ２２からの指令に応じて第２のシャッタ１６の開閉を制御する。
（ホログラム記録装置１００の記録・再生動作）
【００４６】
レーザ光源１０から出射したレーザ光は、第１のビームスプリッタ１１を通りミラー１７へと導かれる参照光と第２のビームスプリッタ１２へ向かう信号光とに分割される。第２のビームスプリッタ１２へと導かれた光は、ＧＬＶ１３へ到達し変調された後に、第１のシャッタ１４を経由し、信号光レンズ１５を通りホログラム記録媒体２００へと到達する。
【００４７】
一方、ミラー１７へと分岐された参照光は、参照光レンズ１８を通り、同様にホログラム記録媒体２００へと到達する。
【００４８】
それぞれ、信号光レンズ１５と参照光レンズ１８で集光された光は、ホログラム記録媒体２００内で結像し、ＧＬＶ１３で変調された回折パターンをそのホログラム記録媒体２００内に形成する。
【００４９】
ホログラム記録媒体２００内に形成された記録パターンの再生は、第１のシャッタ１４を閉じ、参照光のみをホログラム記録媒体２００に照射することにより、再生光レンズ１９を通してアレイセンサ２０上にそのパターンが投影される。
【００５０】
アレイセンサ２０は、フレームグラバ２４を通してＣＰＵ２２と接続されており、ＣＰＵ２２内にその再生パターンを取り込むことができる。
【００５１】
なお、後述する補正値算出処理では、ホログラム記録媒体２００の代わりに例えばガラス等を置き、第１のシャッタ１４を開け、第２のシャッタ１６を閉じることにより、アレイセンサ２０で記録時の変調パターンを直接取り込んでいる。
（補正値算出処理の第１の例）
【００５２】
次に、ＧＬＶ１３の素子ごとの変調度を規制するためのパラメータを設定するための補正値算出処理の第１の例を説明する。
【００５３】
この補正値算出処理は、各パラメータについて、各素子を１００％の変調度で変調したときの光強度と最も変調度の小さい素子を１００％の変調度で変調したときの光強度との割合によって定めるものである。
【００５４】
図５はその信号補正処理の概要を示すフローチャート（ステップ５０１〜５０３）である。
（１）ステップ５０１
【００５５】
ＧＬＶ１３の素子ごとに変調度１００％時の強度を測定する。
【００５６】
図６はその詳細を示すフローチャートである。
（ｉ）まず、ＧＬＶ１３全素子の変調度を０％にしたときの基準強度分布を測定する（ステップ６０１）。
【００５７】
これは、図７のフローチャートに示すように、ＧＬＶ１３全素子の変調度を０％にする（ステップ７０１）。この状態を図８に示す。
【００５８】
次に、レーザ光源１０からレーザ光を出射し、ＧＬＶ１３で変調された光をアレイセンサ２０で取り込めるようにする（ステップ７０２）。
【００５９】
そして、アレイセンサ２０の全画素の強度を測定し、これを基準の強度分布とする（ステップ７０３）。
【００６０】
ここで、ステップ７０３におけるアレイセンサ２０による全画素強度の測定は、図９に示すように、まず作業用変数を初期化する（ステップ９０１）。次に、照射されているレーザ光の強度をアレイセンサ２０から取り込み（ステップ９０２）、アレイセンサ２０の画素ごとに取得した測定値を加算する処理（ステップ９０３）を、任意のＮ回分実行する（ステップ９０４）。そして、画素ごとに加算したデータをＮで割り、アレイセンサ２０の画素ごとの平均測定強度とする（ステップ９０５）。
（ｉｉ）次に、ＧＬＶ１３の１素子ごとの強度測定を実行する（ステップ６０２）。
【００６１】
これは、まず例えば図１０に示すようにＧＬＶ１３のｎ素子目だけを変調度を１００％にし、その他を０％にし（ステップ６０３）、ｎ素子目の１つ分の強度を測定する（ステップ６０４）。これをＧＬＶ１３全素子分測定することによりステップ６０２が実行される。
【００６２】
ここで、ステップ６０４は、図１１のフローチャートに示すように、ＧＬＶ１３のｎ素子目だけを変調度を１００％にし、その他を０％にしたときにおけるアレイセンサ２０の全画素の強度を測定し（ステップ１１０１）、ＧＬＶ１３の１素子分が変調されたデータ（図１０）から、ＧＬＶ１３全素子を０％に変調したときのデータ（図８）を引き（ステップ１１０２）、これをＧＬＶ１３の１素子相当の強度とする（図１２）ことによって行われる。
【００６３】
従って、以上の処理によって図１２に示したようなデータがＧＬＶ１３全素子分得られることになる。
（２）ステップ５０２    
【００６４】
上記のようにＧＬＶ１３全素子分の算出された強度データ（図１２参照）から強度データの最小値を算出する。
（３）ステップ５０３
【００６５】
ＧＬＶ１３の素子ごとの強度とステップ５０２で算出された最小値との比率から、最小値を基準としたＧＬＶ１３の素子ごとの相対的な変調度を算出し、それを補正値（規制のためのパラメータ）とする。
（実施形態の効果）
【００６６】
以上のように本実施形態によれば、上記のように算出された補正値を利用し、ＧＬＶ１３の各素子の光強度が同一の信号に対して光強度の最も小さい素子の光強度とほぼ同一となるように、ＧＬＶ１３の各素子の変調度を規制しつつ信号光を変調しているので、変調後におけるレーザ光の記録信号の強度分布を一様なものとすることができる。
【００６７】
例えば、光学系が設計通りの性能を発揮できていなくとも、一様な強度分布を得ることができる。また、光学系の調整が最適な状態にできなくとも、一様な強度分布を得ることができる。これにより調整誤差をある程度吸収できるようになり、調整による労力を低減することができる。そして、一様な強度分布が得られることにより、ホログラム記録媒体１００による記録密度の向上を図ることができる。
（補正値算出処理の第２の例）
【００６８】
次に、ＧＬＶ１３の素子ごとの変調度を規制するためのパラメータを設定するための補正値算出処理の第２の例を説明する。
【００６９】
この補正値算出処理は、各パラメータについて、最も変調度の小さいＧＬＶ１３の素子を１００％の変調度で変調したときの光強度とほぼ一致するように各素子の変調度を低下させていくことによって、その最小レベルに各素子の強度を順次合わせ込むことにより補正値を算出するものである。
【００７０】
図１３はその信号補正処理の概要を示すフローチャートである。
（１）ＧＬＶ１３の各素子１つ毎の変調度１００％時の強度を測定する（ステップ１３０１）。この処理の詳細は図６に示したものと同様である。
（２）測定したＧＬＶ１３の各素子の強度データから最小値を算出する（ステップ１３０２）。
（３）ＧＬＶ１３の素子数分、以下のステップ１３０４〜ステップ１３０９の強度の合わせ込みを実行する（ステップ１３０３）。
（４）ＧＬＶ１３のｎ素子目だけを変調度を１００％にし、その他を０％にする（ステップ１３０４）。この状態は図１０に示したものと同様である。
（５）ＧＬＶ１３のｎ素子目１つ分の強度を測定する。この処理の詳細は図１１に示したものと同様である（ステップ１３０５）。また、この状態は図１２に示したものと同様である。
（６）ＧＬＶ１３のｎ素子目の測定強度とステップ１３０２で求めた最小値との差を算出する（ステップ１３０６）。
（７）ステップ１３０６で求めた差が設定許容範囲内か確認する（ステップ１３０７）。
（８）許容範囲に入るように、最小値に合わせ込むようＧＬＶ１３のｎ素子目の変調度を変更し、再度ステップ１３０５から処理を実行する（ステップ１３０８）。
（９）そして、許容範囲に入ったときのＧＬＶ１３の変調度をその１素子の補正値とする。
以上のステップ１３０４〜ステップ１３０９をＧＬＶ１３の全素子分実行することで処理を終了する。
【００７１】
この補正値算出処理の第２の例により、より精密にパラメータの設定が可能となる。
（その他）
【００７２】
本発明は、上記の実施形態に限定されるものではなく、本発明の技術的思想の範囲内で様々な変更が可能である。
【００７３】
例えば、上記の実施形態では、ＧＬＶを１次元の光学素子として構成していたが、２次元の光学素子であっても勿論構わない。
【００７４】
また、空間光変調器としてＧＬＶを例にして説明したが、液晶素子やＤＭＤ（Ｄｉｇｉｔａｌ  Ｍｉｃｒｏｍｉｒｒｏｒ  Ｄｅｖｉｃｅ）などの空間光変調器を用いた場合であっても本発明を適用することができる。
【００７５】
更に、ホログラム記録再生装置の構成についても、例えば参照光と信号光とを同一の空間光変調器や対物レンズを用いるいわゆるコーリリニアタイプのホログラム記録再生装置をはじめとした各種の装置に本発明を適用することができる。
【図面の簡単な説明】
【００７６】
【図１】本発明の一実施形態に係るホログラム記録再生装置を表す模式図である。
【図２】ＧＬＶを上面から見た状態を表す上面図である。
【図３】ＧＬＶを側面からみた状態を表す側面図である。
【図４】ＧＬＶを正面からみた状態を表す正面図である。
【図５】補正値算出処理の第１の例における処理の概要を示すフローチャートである。
【図６】ＧＬＶの素子ごとの強度測定の処理内容を示すフローチャートである。
【図７】ＧＬＶの変調度０％時の強度分布測定の処理内容を示すフローチャートである。
【図８】ＧＬＶの変調度０％時の強度分布例を示すグラフである。
【図９】アレイセンサ全画素の強度測定の処理内容を示すフローチャートである。
【図１０】ＧＬＶの１素子変調度１００％時の強度分布例を示すグラフである。
【図１１】ＧＬＶの１素子の強度測定の処理内容を示すフローチャートである。
【図１２】ＧＬＶの１素子の強度算出例を示すグラフである。
【図１３】補正値算出処理の第２の例における処理の概要を示すフローチャートである。
【符号の説明】
【００７７】
１００  ホログラム記録再生装置
２００  ホログラム記録媒体
１０  レーザ光源
１１  第１のビームスプリッタ
１２  第２のビームスプリッタ
１３  ＧＬＶ
１４  第１のシャッタ
１５  信号光レンズ
１６  第２のシャッタ
１７  ミラー
１８  参照光レンズ
１９  再生光レンズ
２０  アレイセンサ
２１  バス
２２  ＣＰＵ
２３  シリアル通信ポート
２４  フレームグラバ
２５  ＧＬＶ制御ボード
２６  第１のシャッタコントローラ
２７  第２のシャッタコントローラ
２８  パラメータ記憶メモリ
【図１】
2006139205.tif 000003
【図２】
2006139205.tif 000004
【図３】
2006139205.tif 000005
【図４】
2006139205.tif 000006
【図５】
2006139205.tif 000007
【図６】
2006139205.tif 000008
【図７】
2006139205.tif 000009
【図８】
2006139205.tif 000010
【図９】
2006139205.tif 000011
【図１０】
2006139205.tif 000012
【図１１】
2006139205.tif 000013
【図１２】
2006139205.tif 000014
【図１３】
2006139205.tif 000015